(57)【要約】【課題】  第１のプリントデータのページ数が偶数、奇数に拘わらず、第２のプリントデータを第１のプリントデータがプリントされた記録媒体とは分離して、異なる記録媒体にプリントする。【解決手段】  プリントジョブデータのページ数Ｎをカウントして偶数の場合に、第１のプリントデータ（本文）の最後の記録用紙を両面印刷、ページ数Ｎが奇数の場合に、本文の最後の記録用紙を片面印刷とすることにより、第２のプリントデータ（Ｎ−１とＮ番目）のページをうら表紙として面付けすることができる。【選択図】  図６
2006027137.tif 000002
【特許請求の範囲】
【請求項１】
複数のページで構成された第１のプリントデータと、前記第１のプリントデータの最終ページの後に付加された第２のプリントデータと、を含むプリントジョブデータに対して、少なくとも記録媒体への片面プリント又は両面プリントの何れかのプリント条件が指定可能であり、当該プリント条件に基づいて前記記録媒体を１枚ずつ搬送更新し、当該記録媒体の裏表に画像を形成する画像形成装置であって、
前記第１のプリントデータのページ数に拘わらず、第１のプリントデータの最後のページと第２のプリントデータの先頭のページとの間で、前記記録媒体を搬送更新してプリントを行うプリント実行手段を有することを特徴とする画像形成装置。
【請求項２】
前記プリント実行手段が、
前記第１のプリントデータのページ数をカウントするカウント手段と、
プリント条件として前記第１のプリントデータ及び前記第２のプリントデータに対して共に両面プリントが指定され、かつ前記カウント手段によりカウントされたページ数が奇数の場合に、前記第１のプリントデータがプリントされる最後の記録媒体を片面プリントとする片面プリント手段と、
で構成されていることを特徴とする請求項１記載の画像形成装置。
【請求項３】
前記第１のプリントデータが本文、前記第２のプリントデータがうら表紙、であることを特徴とする請求項１又は請求項２記載の画像形成装置。
【請求項４】
複数のページに亘る本文の後ろに２ページ以上に亘るうら表紙をつけた状態で構成されるプリントジョブデータに対して、両面プリントを指示した場合の記録媒体の表裏へのプリントを制御するプリント方法であって、
前記本文の先頭ページから順に、記録媒体の搬送、表裏の反転並びに排出をくり返しながらプリントを実行し、当該本文の最終ページが記録媒体にプリントされたときに、当該記録媒体のプリント面を認識し、認識されたプリント面が表面、裏面に拘わらず当該記録媒体を排出し、次に搬送された記録媒体へうら表紙の各ページをプリントすることを特徴とするプリント方法。
【発明の詳細な説明】
【技術分野】
【０００１】
本発明は、複数のページで構成された第１のプリントデータと、前記第１のプリントデータの最終ページの後に付加された第２のプリントデータと、を含むプリントジョブデータに対して、少なくとも記録媒体への片面プリント又は両面プリントの何れかのプリント条件が指定可能であり、当該プリント条件に基づいて前記記録媒体を１枚ずつ搬送し、当該記録媒体の裏表に画像を形成する画像形成装置及び当該画像形成装置に用いられるプリント方法に関するものである。
【背景技術】
【０００２】
従来、プリンタ、コピー等の画像形成装置には、例えば、片面にプリントを行った記録用紙の表裏を反転させ、裏面を再度プリントすることにより記録用紙の両面にプリントを行う両面印刷機構部を備えたものがあり、必要に応じて片面／両面印刷を印刷条件として指定することにより記録用紙の片面あるいは両面にプリントを行うことができる。なお、ここで言う「印刷」とは、印刷版にインクをつけて紙等に転写する一般的な定義の印刷ではなく、静電潜像にトナーを付着させて画像を形成するレーザープリンタ等のユーザーインターフェイス用の用語として慣用的に用いられるものを言う。従って、「プリント」、「画像形成」、「印刷」は全て同義語として必要に応じて使い分けることとする。
【０００３】
また、画像形成装置には、記録用紙の１枚目を表紙として扱い、プリントを行う際に、表紙の表面のみ画像あり、表紙の裏面のみ画像あり、表紙の表面裏面共に画像あり（両面印刷）、表紙の表面裏面共に画像なし、の４通りを印刷条件として指定できる表紙付け機能を備えたものがあり、指定された印刷条件に従ってプリントジョブデータの各ページを記録用紙の両面に順次面付してプリントを行っている。この表紙付け機能により、画像形成装置では、表紙として４通り、表紙以外の本文となるページで片面／両面印刷の２通りの印刷条件を選択できるため、組み合わせにより８通りのプリントを行うことができる。
【０００４】
ここで、上記表紙には、おもて表紙とうら表紙とがあり、おもて表紙、うら表紙に対してそれぞれ４通りの印刷条件が可能であると、おもて表紙、本文、うら表紙の組み合わせにより３２通りの印刷条件が考えられる。
【０００５】
なお、関連技術として、特許文献１には、中折製本印刷で表紙（おもて表紙並びにうら表紙）となる１枚の記録用紙上に任意のページを面付けする技術が開示されている。
【特許文献１】特開２００３−２２３２９０公報
【発明の開示】
【発明が解決しようとする課題】
【０００６】
しかしながら、上記３２通りの印刷条件の内、プリントジョブデータに基づきプリントされる最終記録用紙をうら表紙として扱い、プリントジョブデータの本文及びうら表紙を共に記録用紙の両面にプリントする場合に、プリントジョブデータのうら表紙のページを最終記録用紙（うら表紙）に対して両面印刷ができない場合があった。すなわち、プリントジョブデータの本文のページ数が偶数の場合は、プリントジョブデータのうら表紙のページを最終記録用紙の両面にプリントすることができるが、本文のページ数が奇数の場合は、本文がプリントされる最後の記録用紙の片面（すなわち、裏面側）にうら表紙の一方のページがプリントされてしまい、最終記録用紙が片面印刷となってしまう。言い換えれば、本文のページ数が「偶数」という偶然によって本文、うら表紙の両面印刷が可能であったにすぎず、本文とうら表紙を別の記録用紙に両面印刷する機能がないため、印刷条件として、本文のページ数が偶数、奇数に拘わらず本文及びうら表紙の両面印刷を同時に指定することができなかった。
【０００７】
本発明は上記事実を考慮し、第１のプリントデータのページ数が偶数、奇数に拘わらず、第２のプリントデータを第１のプリントデータがプリントされた記録媒体とは分離して、異なる記録媒体にプリントすることができる画像形成装置及びプリント方法を提供することを目的とする。
【課題を解決するための手段】
【０００８】
請求項１に記載の発明は、複数のページで構成された第１のプリントデータと、前記第１のプリントデータの最終ページの後に付加された第２のプリントデータと、を含むプリントジョブデータに対して、少なくとも記録媒体への片面プリント又は両面プリントの何れかのプリント条件が指定可能であり、当該プリント条件に基づいて前記記録媒体を１枚ずつ搬送更新し、当該記録媒体の裏表に画像を形成する画像形成装置であって、前記第１のプリントデータのページ数に拘わらず、第１のプリントデータの最後のページと第２のプリントデータの先頭のページとの間で、前記記録媒体を搬送更新してプリントを行うプリント実行手段を有することを特徴とする。
【０００９】
請求項１に記載の発明によれば、印刷条件として両面印刷が指定され、かつ、第１のプリントデータのページ数が奇数の場合、第１のプリントデータがプリントされた最後の記録媒体の片面に第２の文章がプリントされてしまう。このため、プリント実行手段は、第１のプリントデータの最後のページと第２のプリントデータの先頭のページとの間で、搬送される記録媒体を更新して別の記録媒体とし、第１のプリントデータのページ数に拘わらず、第１のプリントデータがプリントされる記録媒体と第２のプリントデータがプリントされる記録媒体とが異なるようにプリントを実行する。これにより、第１のプリントデータと第２のプリントデータとが同じ記録媒体にプリントされることを防ぐことができる。
【００１０】
請求項２に記載の発明は、請求項１記載の発明において、前記プリント実行手段が、前記第１のプリントデータのページ数をカウントするカウント手段と、プリント条件として前記第１のプリントデータ及び前記第２のプリントデータに対して共に両面プリントが指定され、かつ前記カウント手段によりカウントされたページ数が奇数の場合に、前記第１のプリントデータがプリントされる最後の記録媒体を片面プリントとする片面プリント手段と、で構成されていることを特徴とする。
【００１１】
請求項２に記載の発明によれば、カウント手段は、プリントデータの第１のプリントデータのページ数をカウントし、片面プリント手段は、印刷条件として両面印刷が指定され、かつ、カウントされたページ数が奇数の場合に、第１のプリントデータが印刷された最後の記録媒体を片面プリントとする。これにより、第１のプリントデータのページ数が偶数、奇数に拘わらず、第２のプリントデータを第１のプリントデータがプリントされた記録媒体とは分離して、異なる記録媒体にプリントすることができるため、第２のプリントデータを前記最終記録媒体の両面にプリントすることができる。
【００１２】
請求項３に記載の発明は、請求項１又は請求項２記載の発明において、前記第１のプリントデータが本文、前記第２のプリントデータがうら表紙、であることを特徴とする。
【００１３】
請求項３に記載の発明によれば、本文のプリントデータのページ数に拘わらず、うら表紙のプリントデータを最終記録用紙の両面にプリントすることができるため、最終記録媒体をうら表紙とすることができる。
【００１４】
請求項４に記載の発明は、複数のページに亘る本文の後ろに２ページ以上に亘るうら表紙をつけた状態で構成されるプリントジョブデータに対して、両面プリントを指示した場合の記録媒体の表裏へのプリントを制御するプリント方法であって、前記本文の先頭ページから順に、記録媒体の搬送、表裏の反転並びに排出をくり返しながらプリントを実行し、当該本文の最終ページが記録媒体にプリントされたときに、当該記録媒体のプリント面を認識し、認識されたプリント面が表面、裏面に拘わらず当該記録媒体を排出し、次に搬送された記録媒体へうら表紙の各ページをプリントすることを特徴とする。
【００１５】
請求項４に記載の発明によれば、本文の最終ページがプリントされた記録用紙にうら表紙のページがプリントされることを防ぐことができ、本文とうら表紙を、異なる記録媒体にプリントすることができる。
【発明の効果】
【００１６】
以上説明したように、本発明によれば、第１のプリントデータのページ数が偶数、奇数に拘わらず、第２のプリントデータを第１のプリントデータがプリントされた記録媒体とは分離して、異なる記録媒体にプリントすることができる画像形成装置及びプリント方法を提供することができるという優れた効果を有する。
【発明を実施するための最良の形態】
【００１７】
図１には、本実施の形態にかかる画像形成装置１０が示されており、画像形成装置１０は、この装置本体１２の内部に、画像形成エンジンとしてのエンジン部１４が配設されている。
【００１８】
エンジン部１４には、像担持体としての感光体ドラム１６が回転可能に配設されている。この感光体ドラム１６は、所定のプロセススピードで回転駆動される。
【００１９】
上記感光体ドラム１６の周面には、帯電器１８によって所定の電位に帯電された後、これ又感光体ドラム１６の直上の離れた位置に配置された光走査系としてのＲＯＳ（Raster Output Scanner）２０によって、レーザービーム（LB）による画像露光が施され、画像情報に応じた静電潜像が形成される。上記感光体ドラム１６上に形成された静電潜像は、現像器２２によって現像され、トナー像となる。
【００２０】
上記トナー像が形成されるにあたって感光体ドラム１６が回転する回数は、画像のサイズに応じて異なるが、例えば、Ａ４サイズであれば、感光体ドラム１６が３回転することによって、１画像が形成される。
【００２１】
上記感光体ドラム１６上に順次形成されたトナー像は、転写位置（図１のＡ線矢視）を通過する際に、記録用紙２６上に転写される。
【００２２】
記録媒体としての記録用紙２６は、図１に示すように、装置本体１２の下部に配置された給紙部２８から、１枚ずつ捌かれた状態で給紙され、ベルト２４に搬送されたながら、当該転写位置で画像が記録用紙２６へ転写される。
【００２３】
なお、感光体ドラム１６は、トナー像の転写後、クリーニング部３０によってクリーニングされ、次の画像形成のため帯電ロール１８で帯電される。
【００２４】
上記トナー像が転写された記録用紙２６は、定着器３２へと搬送され、この定着器３２によって加熱及び圧力でトナー像が記録用紙２６上に定着され、排出ロール３４によって排出される。
【００２５】
次に、図２を用いて装置本体１２へ記録用紙２６を供給する給紙部２８について説明する。
【００２６】
給紙部２８は、比較的小さいサイズ（例えばＡ４サイズ）の記録用紙２６が装填可能な用紙トレイ３８Ａ、３８Ｂと、比較的大きいサイズ（例えばＡ３サイズ）の記録用紙２６が装填可能な用紙トレイ３８Ｃ、３８Ｄと、を備えており、用紙トレイ３８Ａ、３８Ｂ、２２Ｃ、２２Ｄのそれぞれに多数枚の記録用紙２６が積層されて収容されるようになっている。用紙トレイ３８Ａ、３８Ｂ、３８Ｃ、３８Ｄの上部には、記録用紙２６を最上層から１枚ずつ取り出すピックアップロール３９がそれぞれ設けられ、ピックアップロール３９によって取り出された記録用紙２６は、フィードロール４１及びリタードロール４２によって１枚ずつ捌かれた状態で送り出された、複数の給紙ロール４３により搬送路４４へ搬送され、ベルト２４によってトナー像と同期した状態で、上記転写位置（図１のＡ線矢視）へと搬送される。この転写位置によってトナー像が記録用紙２６に転写され、定着器３２で定着された後、排出ロール３４により、装置本体１２外へ排出される。
【００２７】
また、給紙部２８には、用紙トレイ３８Ａ、３８Ｂ、３８Ｃ、３８Ｄと共に、手差し用のトレイ３８Ｇが設けられており、フィードロール４１によって最上層から記録用紙２６を１枚ずつ取り出され、フィードロール４１及びリタードロール４２によって１枚ずつ捌かれた状態で給紙ロール４３により搬送路４４へ搬送される。
【００２８】
ここで、給紙部２８には、記録用紙２６の両面印刷を行う両面印刷機構部として、反転路４６（４６Ａ、４６Ｂ）が設けられている。両面印刷の場合、上記のような順序で表面のプリントが終わった後、反転路４６Ａ側へ搬送し、一旦反転路４６Ａへ収納された後に、搬送ロール４７が逆転し、記録用紙２６が両面印刷路４９側へ搬送される。そして、両面路搬送ロール４８により再び搬送路４４へ搬送され、記録用紙２６の裏面側がプリントされる。また、記録用紙２６の表裏の反転のみを行う場合、反転路４６Ａへ収納された後に搬送ロール４７が逆転し、記録用紙２６が反転路４６Ｂへ供給され、排出ロール３４によって装置本体１２外へ排出される。
【００２９】
ここで、本実施の形態の画像形成装置１０は、ホスト装置５０とＬＡＮ等の通信回線により接続されており、ホスト装置５０において印刷条件が指定されたプリントジョブデータのプリントを行っている。
【００３０】
図３には、ホスト装置５０の制御部の要部構成が示されている。
【００３１】
ホスト装置５０は、図示しないメイン制御部の制御下で実行されたＯＳ（オペレーティングシステム）５６、ＯＳ５６にインストールされた複数のアプリケーションプログラム５７と、アプリケーションプログラム５７で作成されたファイルを記憶するデータ記憶部５８と、ＣＲＴ（Cathode Ray Tube）やＬＣＤ（Liquid Crystal Display）等からなる表示部６０と、画像形成装置１０と通信を行なうための通信インターフェース（通信Ｉ／Ｆ）５２と、及びプリントジョブデータを生成するプリンタドライバ５４と、を有している。
【００３２】
データ記憶部５８には、アプリケーションプログラム５７で作成されたファイルが格納される。なお、データ記憶部５８に記憶されるファイルは、ホスト装置５０のアプリケーションプログラム５７で作成されたものには限らず、例えば、他のホスト装置から電子メールの添付文書として送信されたものや、ファイルサーバーからダウンロードしたものであってもよい。
【００３３】
ＯＳ５６は、ユーザの操作によりアプリケーションプログラム５７を起動し、データ記憶部５８に記憶しているファイルを読み込んで表示部６０への表示を制御する。また、ユーザによってプリントが指示されると印刷条件指定画面を表示し、プリントが指示されたアプリケーションのデータ及び指定された印刷条件をプリンタドライバ５４へ送り、通信Ｉ／Ｆ７２を介して画像形成装置１０に送信するようになっている。
【００３４】
ここで、本実施の形態の画像形成装置１０では、プリントを行う際に、印刷条件として記録用紙２６の１枚目をおもて表紙、最後をうら表紙、おもて表紙うら表紙以外のページを本文、として個別に印刷条件の指定が可能となっており、おもて表紙及びうら表紙に対して、表面のみ画像あり、裏面のみ画像あり、表面裏面共に画像あり、表面裏面共に画像なし、のそれぞれ４通り、本文に対して、片面／両面印刷の２通りの印刷条件が指定可能となっている。
【００３５】
プリンタドライバ５４は、送られたアプリケーションデータを指示された印刷条件と共にプリントジョブデータに変換し、通信Ｉ／Ｆ７２へ送り、画像形成装置１０へ送信する。
【００３６】
次に、図４を用いて画像形成装置１０のプリントを行う制御部の要部構成を説明する。
【００３７】
画像形成装置１０は、ホスト装置５０により印刷条件が指定されたプリントジョブデータを受信する通信インターフェース（通信Ｉ／Ｆ）７２と、プリントジョブデータのおもて表紙、本文、うら表紙の各ページを指定された印刷条件に基づきイメージデータとして面付けするプリント実行手段としての面付け制御部７４と、面付けされたイメージデータを記憶するイメージメモリ９０と、イメージメモリ９０に記憶されたイメージデータを読み込みプリントを行う画像形成エンジン制御部９２と、を有している。
【００３８】
また、面付け制御部７４は、プリントジョブデータに基づきおもて表紙の面付けを行うおもて表紙面付け部７６と、本文及びうら表紙のページ数をカウントするカウント手段としてのページ数カウント部７８と、本文部分の面付けを行う本文面付け部８０と、本文のページ数に応じてうら表紙の面付けを行う片面プリント手段としてのうら表紙面付け部８２と、で構成されている。
【００３９】
通信Ｉ／Ｆ７２は、通信回線を介してホスト装置５０及び面付け制御部７４と接続されている。通信Ｉ／Ｆ７２は、ホスト装置５０との通信回線を制御しており、ホスト装置５０よりプリントジョブデータを受信し、面付け制御部７４のおもて表紙面付け部７６へ送信する。
【００４０】
おもて表紙面付け部７６は、通信Ｉ／Ｆ７２、ページ数カウント部７８及びイメージメモリ９０と接続されている。おもて表紙面付け部７６は、おもて表紙に対する印刷条件が、表面のみ画像ありの場合にプリントジョブデータの最初のページを表面側に面付けし、裏面のみ画像ありの場合に最初のページを表面側に面付けし、表面裏面共に画像ありの場合に最初のページを表面側に面付けし、２ページ目を裏面側に面付けしたイメージデータをおもて表紙イメージデータとしてイメージメモリ９０に記憶させる。また、おもて表紙として面付けを行った以外のプリントジョブデータをページ数カウント部７８へ送出する。
【００４１】
ページ数カウント部７８は、おもて表紙面付け部７６、本文面付け部８０及びうら表紙面付け部８２と接続されている。ページ数カウント部７８は、おもて表紙面付け部７６から送られたおもて表紙以外（本文及びうら表紙）のプリントジョブデータのページの区切りをカウントして本文及びうら表紙のページ数を求め、ページ数に応じて本文面付け部８０、うら表紙面付け部８２に送るページの振り分けを行う。なお、ホスト装置５０のプリンタドライバ５４でプリントジョブデータの作成する段階で本文、うら表紙のページ数を設定する場合は、プリントジョブデータに設定されている本文、うら表紙のページ数を用いてもよい。
【００４２】
ページ数カウント部７８は、ページ数が偶数でかつ４ページ以上の場合は、記録用紙２６の最後の２枚に両面印刷する４ページ分のデータをうら表紙面付け部８２へ、ページ数が偶数でかつ２ページの場合は２ページ分のデータをうら表紙面付け部８２へ送出する。また、ページ数が奇数でかつ３ページ以上の場合は最後の３ページ分のデータをうら表紙面付け部８２へ、ページ数が奇数でかつ１の場合は１ページ分のデータをうら表紙面付け部８２へ送出する。さらに、うら表紙面付け部８２へ送付した以外のプリントジョブデータ（すなわち、本文のページ一部）を本文面付け部８０へ送出する。これにより、本文面付け部８０に送出される本文のページ数は偶数となるため、本文の印刷条件に両面が指定された場合でも、記録用紙２６の両面に面付けをすることができる。
【００４３】
本文面付け部８０は、送られたデータを本文の印刷条件で指定された条件にしたがって面付けし、本文イメージデータとしてイメージメモリ９０に記憶させる。
【００４４】
うら表紙面付け部８２は、送られたデータをうら表紙の印刷条件で指定された条件に従って面付けし、うら表紙イメージデータとしてイメージメモリ９０に記憶させる。すなわち、うら表紙に対する印刷条件が、表面のみ画像ありの場合に送信された最後のページを表面側に面付けし、裏面のみ画像ありの場合に送信された最後のページを裏面側に面付けし、表面裏面共に画像ありの場合に送信された最後のページを裏面側に面付けし、最後からから２ページ目を表面側に面付けしたイメージデータをうら表紙イメージデータとしてイメージメモリ９０に記憶させる。
【００４５】
また、うら表紙面付け部８２は、うら表紙のイメージデータを確定させると共に、本文の最後の記録用紙２６のイメージデータの面付けを行い、本文イメージデータとしてイメージメモリ９０に記憶させる。
【００４６】
イメージメモリ９０は、おもて表紙面付け部７６、本文面付け部８０及びうら表紙面付け部８２により面付けが行われた、おもて表紙、本文、うら表紙のイメージデータを記憶している。
【００４７】
画像形成エンジン制御部９２は、イメージメモリ９０に記憶されている各イメージデータを順次読み出し、帯電器１８によって所定の電位に帯電させた感光体ドラム１６を回転させながらイメージメモリ９０から読み出した各イメージデータ基づいて光走査装置１７からレーザービームを出力して感光体ドラム１４に静電潜像を形成して記録用紙２６へ画像形成（プリント）を行う。
【００４８】
次に、本実施の形態の作用について説明する。
【００４９】
ホスト装置５０では、ユーザーの操作によってアプリケーションプログラム５７によるアプリケーションデータの編集が行われ、プリントを行う場合に、必要に応じておもて表紙、本文、うら表紙への印刷条件を指定したプリントジョブデータを画像形成装置１０へ送信する。
【００５０】
画像形成装置１０では、指定された印刷条件に基づき、面付け制御部７４により順次各ページへの面付けを行い、プリントを行うイメージデータの編集を行う。
【００５１】
おもて表紙面付け部７６は、おもて表紙への印刷条件が表面のみ画像ありの場合にプリントジョブデータの最初のページを表面側に面付けし、裏面のみ画像ありの場合に最初のページを表面側に面付けし、表面裏面共に画像ありの場合に最初のページを表面側に面付けし、２ページ目を裏面側に面付けしたイメージデータをおもて表紙イメージデータとしてイメージメモリ９０に記憶させる。
【００５２】
次に、本文面付け部８０及びうら表紙面付け部８２により本文、うら表紙の面付けの面付けを行う。図５には、印刷条件として本文の両面に画像あり、かつうら表紙の表面裏面共に画像ありの場合の処理につて処理の流れが示されている。
【００５３】
ステップ１５０では、ページ数カウント部７８においてプリントジョブデータのおもて表紙以外（本文及びうら表紙）のページ数をカウントし、ページ数Ｎを求めてステップ１５２へ移行する。
【００５４】
ステップ１５２では、ページ数Ｎが偶数であるか、奇数であるかを判別しており、偶数の場合、ステップ１５４へ移行する。一方、奇数の場合、ステップ１６０へ移行する。
【００５５】
ステップ１５４では、ページ数Ｎが４ページ以上であるか判定しており、４ページ以上の場合、ステップ１５６へ移行する。一方、４ページ未満の場合、ステップ１５８へ移行する。これは、ページ数Ｎが偶数で４ページ以上の場合、本文とうら表紙の両面に共にプリントするページが存在するが、偶数で４ページ未満の場合（すなわち、２ページしか存在しない場合）、本文への面付けを行わずにうら表紙に面付けを行うためである。なお、本実施の形態では、両面印刷で２ページをうら表紙に面付けするため、本文及びうら表紙のページ数が偶数の場合、本文のページ数も偶数となり、本文及びうら表紙のページ数が奇数の場合、本文のページ数も奇数となる。
【００５６】
ステップ１５６では、ページ数カウント部７８からうら表紙面付け部８２へプリントされる記録用紙２６の最後の２枚にあたる４ページ分のデータ（Ｎ−３〜Ｎ番目の４ページ）がうら表紙面付け部８２へ送出され、１〜Ｎ−４番目のページ分のデータが本文面付け部８０へ送出される。
【００５７】
本文面付け部８０は、１〜Ｎ−４番目のページを本文の両面に順次面付けを行い、イメージメモリ９０に記憶させる。また、うら表紙面付け部８２は、送られた４ページのＮ−３とＮ−２番目を本文の最後の記録用紙２６として面付けし、イメージメモリ９０に記憶させて、ステップ１５８へ移行する。
【００５８】
これは、例えば、ページ数Ｎが８ページであった場合、図６の２行目（ＮＯ、２）に示されるように、本文面付け部８０により、１〜４番目のページを本文の記録用紙２６の１、２枚目の両面に面付け、うら表紙面付け部８２により、５、６番目のページを記録用紙２６の３枚目の両面に面付け、イメージメモリ９０に記憶させている。
【００５９】
ステップ１５８では、うら表紙面付け部８２が、Ｎ−１とＮ番目のページをうら表紙として面付けする。これは、図６の２行目（ＮＯ、２）に示されるように、７、８番目のページをうら表紙のとして面付けしている。うら表紙面付け部８２は、面付けしたうら表紙のイメージデータをイメージメモリ９０に記憶させて、エンドへ移行する。
【００６０】
一方、ステップ１６０では、ステップ１５２においてページ数Ｎを奇数と判定されており、ページ数Ｎが３ページ以上であるか判定しており、３ページ以上の場合、ステップ１６２へ移行する。一方、３ページ未満の場合、ステップ１６４へ移行する。これは、ページ数Ｎが奇数で３ページ以上の場合、本文とうら表紙を共に両面をプリントすることができないため、本文の最後の記録用紙２６を片面印刷とし、うら表紙の両面にプリントを行うためである。一方、奇数で３ページ未満の場合（すなわち、１ページしか存在しない場合）、本文への面付けを行わずにうら表紙に面付けを行うためである。
【００６１】
ステップ１６２では、ページ数カウント部７８からうら表紙面付け部８２へＮ−２〜Ｎ番目の最後の３ページ分のデータが送出され、１〜Ｎ−３番目までのページ分のデータが本文面付け部８０へ送出される。
【００６２】
本文面付け部８０は、１〜Ｎ−３番目のページを本文として順次両面に面付けを行い、イメージメモリ９０に記憶させる。また、うら表紙面付け部８２では、送られた３ページのＮ−２番目のページを本文の最後の記録用紙２６用のイメージデータとして片面に面付けし、イメージメモリ９０に記憶させて、ステップ１５８へ移行する。すなわち、ページ数Ｎが奇数の場合であっても、本文面付け部８０は、１〜Ｎ−３番目のページを本文として両面に面付し、うら表紙面付け部８２が、本文の最後の記録用紙２６用のイメージデータとして片面を面付する。
【００６３】
これは、例えば、ページ数Ｎが７枚であった場合、図６の１行目（ＮＯ、１）に示されるように、本文面付け部８０は、１〜４番目のページを本文の記録用紙２６の１、２枚目の両面に面付けし、うら表紙面付け部８２は、５番目のページを本文の記録用紙２６の３枚目の片面に面付けして、イメージメモリ９０に記憶させている。
【００６４】
この後、上述したステップ１５８においてＮ−１とＮ番目のページがうら表紙として面付けが行われる。
【００６５】
一方、ステップ１６４では、ステップ１６２においてページ数Ｎが１ページであると判定されているため、うら表紙の裏面に片側で面付けが行われエンドへ移行する。
【００６６】
このように、ページ数Ｎをカウントして偶数の場合に、本文の最後の記録用紙２６の両面に面付け、ページ数Ｎが奇数の場合に、本文の最後の記録用紙２６の片面に面付けをすることにより、Ｎ−１とＮ番目にあたるページをうら表紙として両面に面付けすることができるようになる。
【００６７】
上述の処理によりイメージメモリ９０に記憶された各イメージデータは、画像形成エンジン制御部９２によって順次読み込まれ、記録用紙２６上へプリント処理が行われる。
【００６８】
ここで、ホスト装置５０によって印刷条件として本文に対して両面、うら表紙に対して片面（表面あるいは裏面のみイメージあり）が指定された場合、図５に示したフローを以下ように変更することにより処理を行うことができる。すなわち、ステップ１５２において、偶数の場合にステップ１５６へ移行し、奇数の場合にステップ１６０へ移行する。
【００６９】
ステップ１５６では、ページ数カウント部７８からうら表紙面付け部８２へＮ−１〜Ｎ番目のページ分のデータが送出され、１〜Ｎ−２番目のページ分のデータが本文面付け部８０へ送出される。
【００７０】
本文面付け部８０は、１〜Ｎ−２番目のページを本文として両面に順次面付けを行い、イメージメモリ９０に記憶させる（ただし、ページ数Ｎが２ページ以下の場合は、面つけを行われない）。また、うら表紙面付け部８２では、Ｎ−１番目のページを本文の最後の記録用紙２６用のイメージデータとして片面に面付けし、イメージメモリ９０に記憶させて、ステップ１５８へ移行する。
【００７１】
これは、例えば、ページ数Ｎが６ページであった場合、図６の４行目（ＮＯ、４）に示されるように、本文面付け部８０により、１〜４番目のページを本文の１、２枚目の両面に面付けし、うら表紙面付け部８２により、５番目のページを本文の３枚目の片面に面付けした本文イメージデータがイメージメモリ９０に記憶させている。
【００７２】
ステップ１５８では、うら表紙面付け部８２がＮ番目のページをうら表紙として面付けしする。これは、図６の４行目（ＮＯ、４）に示されるように、６番目のページをうら表紙のとして印刷条件で指示された面に面付けしている（図６では、裏面に面付け）。うら表紙面付け部８２は、面付けしたうら表紙のページイメージをイメージメモリ９０に記憶させて、エンドへ移行する。
【００７３】
一方、ステップ１６０では、ステップ１５２においてページ数Ｎが奇数と判定されており、ページ数Ｎが３ページ以上であるか判定しており、３ページ以上の場合、ステップ１６２へ移行する。一方、ページ数Ｎが３ページ未満の場合、ステップ１６４へ移行する。この奇数で３ページ未満の場合（すなわち、１ページしか存在しない場合）、本文への面付けを行わずにうら表紙のみに面付けが行われる。
【００７４】
ステップ１６２では、ページ数カウント部７８からうら表紙面付け部８２へ最後の３ページ（Ｎ−２〜Ｎ番目のページ）分のデータが送出され、１〜Ｎ−３番目のページ分のデータが本文面付け部８０へ送出される。
【００７５】
本文面付け部８０は、１〜Ｎ−３番目のページを本文の両面に順次面付けを行い、イメージメモリ９０に記憶させる。また、うら表紙面付け部８２では、Ｎ−２及びＮ−１番目のページを本文の最後の記録用紙２６用のイメージデータとして両面に面付けし、イメージメモリ９０に記憶させて、ステップ１５８へ移行する。この後、上述したステップ１５８においてＮ番目のページがうら表紙として面付けが行われる。これは、例えば、ページ数Ｎが７であった場合、図６の３行目（ＮＯ、３）に示されるように、本文面付け部８０は、１〜４番目のページを本文の１、２枚目の両面に面付けし、うら表紙面付け部８２は、５、６番目のページを本文の３枚目の両面に面付けして、イメージメモリ９０に記憶させている。また、うら表紙面付け部８２は、７番目のページをうら表紙のとして印刷条件として指示された面に面付けし（図６では、裏面に面付け）、面付けしたうら表紙のページイメージをイメージメモリ９０に記憶させる。
【００７６】
これにより、印刷条件として、本文に両面印刷、うら表紙が片面であったとしてもうら表紙に適切に面付けを行い、プリントを行うことができる。
【００７７】
また、印刷条件として本文に片面印刷、うら表紙が両面印刷（表面裏面共に画像あり）が指定された場合は、ページ数Ｎをカウントして、Ｎ−１及びＮ番目のページをうら表紙として面付すればよい。また、印刷条件として本文に片面印刷、うら表紙に表面のみイメージあり、あるいは裏面のみイメージありが指定された場合は、ページ数Ｎをカウントして、Ｎ番目のページを印刷条件で指定された面（表面あるいは裏面）に面付けすればよい。さらに、印刷条件としてうら表紙の表面裏面共に画像なしが指定された場合は、本文面付け部８０によって１〜Ｎ番目のページを面付けすればよい。
【００７８】
このように、本実施の形態の画像形成装置１０によれば、プリントジョブデータの本文のページ数Ｎに応じて面付けを行うことで、最終ページをうら表紙として用いることが可能となる。これにより、本実施の形態の画像形成装置１０は、おもて表紙として、表面のみ画像あり、裏面のみ画像あり、表面裏面共に画像あり、表面裏面共に画像なしの４通りを印刷条件として指定でき、また、本文として片面／両面印刷の２通りの印刷条件を指定でき、さらに、うら表紙として、表面のみ画像あり、裏面のみ画像あり、表面裏面共に画像あり、表面裏面共に画像なしの４通りを印刷条件として指定できるため、組み合わせにより３２通りのプリントを行うことができる。
【００７９】
なお、本実施の形態では、画像形成装置１０としてプリントを例にしたが、コピー機等に本発明を適用してもよい。この場合、コピー機に設けられた操作パネル等により印刷条件を指定可能とし、指定された印刷条件に基づきプリントジョブデータのプリントを行えばよい。
【図面の簡単な説明】
【００８０】
【図１】画像形成装置のプリンタ本体の概略構成図である。
【図２】画像形成装置の給紙部の概略構成図である。
【図３】ホスト装置の制御部に関するブロック図である。
【図４】画像形成装置の制御部に関するブロック図である。
【図５】本文、うら表紙の面付け処理についてのフローチャートである。
【図６】印刷条件を指定して本文、うら表紙の面付けを行った場合の本文、うら表紙の出力例である。
【符号の説明】
【００８１】
画像形成装置  １０
記録用紙  ２６（記録媒体）
ページ数カウント部  ７８（カウント手段）
うら表紙面付け部  ８２（片面プリント手段、プリント実行手段）
【図１】
2006027137.tif 000003
【図２】
2006027137.tif 000004
【図３】
2006027137.tif 000005
【図４】
2006027137.tif 000006
【図５】
2006027137.tif 000007
【図６】
2006027137.tif 000008